(57)【要約】【課題】施工が簡易に行うことができ、しかも、排水性に優れることにより湧水や雨水による侵食を確実に防止することができ、安定した保護構造を得る。【解決手段】表面側に位置するほぼ同一の上平面Ｕにおいて長手方向に連なり実質的に平行な上骨１０を有し、裏面側に位置するほぼ同一の下平面Ｄにおいて長手方向に連なり実質的に平行な下骨２０を有し、かつ、平面的に視て隣接する上骨１０、１０間に下骨２０が位置する。隣接する上骨１０、１０とこれらの間に位置する下骨２０との関係は、延在方向の多数の位置において、下骨２０とそれぞれ隣接する上骨１０、１０との間が連結骨３０により連結しベース体Ｘを構成する。そして、施工にあたっては、ベース体Ｘを斜面に布設するとともに、上平面Ｕと下平面Ｄとの間に塊状物Ｓを含む下層材を設け、ベース体Ｘの上から被覆層５０を造成する。【選択図】図１３
2006299696.tif 000002
【特許請求の範囲】
【請求項１】
骨が繋がっている３次元構造体であって、その構造体内に空隙を有するベース体を用意し、
前記ベース体を斜面に布設するとともに、前記空隙に塊状物を含む下層材を設け、前記ベース体の上から被覆層を造成する、
ことを特徴とする斜面の安定化工法。
【請求項２】
骨が繋がっている３次元構造体であって、その構造体内に空隙を有するベース体を用意し、
前記ベース体を斜面に布設するとともに、前記空隙に塊状物を含む下層材を設ける、
ことを特徴とする斜面の安定化工法。
【請求項３】
前記ベース体の表面側を網体で覆う、請求項２記載の斜面の安定化工法。
【請求項４】
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体を斜面に布設するとともに、前記上平面と前記下平面との間に塊状物を含む下層材を設け、前記ベース体の上から被覆層を造成する、
ことを特徴とする斜面の安定化工法。
【請求項５】
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体を斜面に布設するとともに、前記上平面と前記下平面との間に塊状物を含む下層材を設ける、
ことを特徴とする斜面の安定化工法。
【請求項６】
前記ベース体の表面側を網体で覆う、請求項５記載の斜面の安定化工法。
【請求項７】
前記ベース体における、隣接する前記上骨とこれらの間の前記下骨とを繋ぐ連結骨の配置形態において、平面的に視て前記上骨における前記下骨との第１の連結部と次の第２の連結部との間の長手方向中間位置に、前記下骨における前記上骨との連結部がある、請求項４〜６のいずれか１項に記載の斜面の安定化工法。
【請求項８】
前記ベース体を、その前記上骨及び前記下骨の延在方向を斜面の尻と肩を結ぶ斜面方向に対して交差する方向に布設する、請求項４〜７のいずれか１項に記載の斜面の安定化工法。
【請求項９】
複数の前記ベース体を使用し、斜面の下方に設ける下方のベース体及び斜面の上方に設ける上方のベース体を、それらの前記上骨及び前記下骨の延在方向を斜面の尻と肩を結ぶ斜面方向に対して交差する方向に布設するとともに、前記下方のベース体及び前記上方のベース体の前記延在方向が、前記下方のベース体と前記上方のベース体との境界線に対して交差する位置関係にある、請求項４〜８のいずれか１項に記載の斜面の安定化工法。
【請求項１０】
前記ベース体の骨に絡むように長繊維又は短繊維を前記ベース体上から設ける、請求項１〜９のいずれか１項に記載の斜面の安定化工法。
【請求項１１】
前記ベース体を、ライン状に布設し、非布設域を確保する、請求項１〜１０のいずれか１項に記載の斜面の安定化工法。
【請求項１２】
前記ベース体を複数重ねて布設し、少なくとも最下方に前記下層材を設ける、請求項１〜１１のいずれか１項に記載の斜面の安定化工法。
【請求項１３】
地山に対向する前記ベース体との間に、透水性のシートを布設する、請求項１〜１２のいずれか１項に記載の斜面の安定化工法。
【請求項１４】
前記被覆層は植生用の基盤である、請求項１〜１３のいずれか１項に記載の斜面の安定化工法。
【請求項１５】
前記ベース体を、固定部材により地山に固定する、請求項１〜１４のいずれか１項に記載の斜面の安定化工法。
【請求項１６】
複数の前記下骨上に支持材を掛け渡し、地山に打ち込む前記固定部材の定着座を複数の前記下骨上に配置し、前記支持材と前記定着座とが一体で地山側に押圧する、請求項１５記載の斜面の安定化工法。
【請求項１７】
前記塊状物は、前記ベース体の上端側から投入し、前記塊状物をその自重落下力により前記ベース体の厚み内に撒き出す、請求項１〜１６のいずれか１項に記載の斜面の安定化工法。
【請求項１８】
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体が斜面に布設され、前記上平面と前記下平面との間に塊状物を含む下層材が設けられ、前記上平面に基盤が造成されている、ことを特徴とする斜面の安定化構造。
【請求項１９】
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体が斜面に布設され、前記上平面と前記下平面との間に塊状物を含む下層材が設けられている、
ことを特徴とする斜面の安定化構造。
【請求項２０】
前記ベース体の表面側が網体で覆われている、請求項１９記載の斜面の安定化構造。
【発明の詳細な説明】
【技術分野】
【０００１】
本発明は、自然斜面や切取り法面などの斜面の安定化工法及び安定化構造に関するものである。特に、対崩落性に優れ、かつ施工が簡易な形態に関するものである。
【背景技術】
【０００２】
斜面の安定化のために、地山にネット等の網体を布設し、その上からモルタルや植生用の基盤を設けることは周知である。
【０００３】
他方、河川護岸などの勾配が緩い場合には、コンクリートブロックや石積み工が汎用されているが、設置施工の手間、特に作業員の負担が多大である。また、崩れ落ちを防止するためには、杭の設置や、法枠工の間への石積みなどを要する。したがって、簡易な施工は困難である。
【０００４】
これらを解決するための方法として、多くの提案があり、たとえばその一例に特許文献１のものがある。
【０００５】
しかし、簡易な施工性の観点から改善すべき事項も多いものであるとともに、緑化を行い得ないものである。
【特許文献１】特開２００４―２７０４０８号公報
【発明の開示】
【発明が解決しようとする課題】
【０００６】
したがって、本発明の課題は、施工を簡易に行うことができ、しかも、排水性に優れることにより湧水や雨水による侵食を確実に防止することができ、安定した保護構造を得ることができる形態を提供することにある。他の課題は、緑化が可能である形態を提供することである。さらに別の課題は、以下の説明から明らかになるであろう。
【課題を解決するための手段】
【０００７】
この課題を解決した本発明は、次のとおりである。
〔請求項１記載の発明〕
骨が繋がっている３次元構造体であって、その構造体内に空隙を有するベース体を用意し、
前記ベース体を斜面に布設するとともに、前記空隙に塊状物を含む下層材を設け、前記ベース体の上から被覆層を造成する、
ことを特徴とする斜面の安定化工法。
【０００８】
〔請求項２記載の発明〕
骨が繋がっている３次元構造体であって、その構造体内に空隙を有するベース体を用意し、
前記ベース体を斜面に布設するとともに、前記空隙に塊状物を含む下層材を設ける、
ことを特徴とする斜面の安定化工法。
【０００９】
〔請求項３記載の発明〕
前記ベース体の表面側を網体で覆う、請求項２記載の斜面の安定化工法。
【００１０】
〔請求項４記載の発明〕
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体を斜面に布設するとともに、前記上平面と前記下平面との間に塊状物を含む下層材を設け、前記ベース体の上から被覆層を造成する、
ことを特徴とする斜面の安定化工法。
【００１１】
〔請求項５記載の発明〕
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体を斜面に布設するとともに、前記上平面と前記下平面との間に塊状物を含む下層材を設ける、
ことを特徴とする斜面の安定化工法。
【００１２】
〔請求項６記載の発明〕
前記ベース体の表面側を網体で覆う、請求項５記載の斜面の安定化工法。
【００１３】
〔請求項７記載の発明〕
前記ベース体における、隣接する前記上骨とこれらの間の前記下骨とを繋ぐ連結骨の配置形態において、平面的に視て前記上骨における前記下骨との第１の連結部と次の第２の連結部との間の長手方向中間位置に、前記下骨における前記上骨との連結部がある、請求項４〜６のいずれか１項に記載の斜面の安定化工法。
【００１４】
〔請求項８記載の発明〕
前記ベース体を、その前記上骨及び前記下骨の延在方向を斜面の尻と肩を結ぶ斜面方向に対して交差する方向に布設する、請求項４〜７のいずれか１項に記載の斜面の安定化工法。
【００１５】
〔請求項９記載の発明〕
複数の前記ベース体を使用し、斜面の下方に設ける下方のベース体及び斜面の上方に設ける上方のベース体を、それらの前記上骨及び前記下骨の延在方向を斜面の尻と肩を結ぶ斜面方向に対して交差する方向に布設するとともに、前記下方のベース体及び前記上方のベース体の前記延在方向が、前記下方のベース体と前記上方のベース体との境界線に対して交差する位置関係にある、請求項４〜８のいずれか１項に記載の斜面の安定化工法。
【００１６】
〔請求項１０記載の発明〕
前記ベース体の骨に絡むように長繊維又は短繊維を前記ベース体上から設ける、請求項１〜９のいずれか１項に記載の斜面の安定化工法。
【００１７】
〔請求項１１記載の発明〕
前記ベース体を、ライン状に布設し、非布設域を確保する、請求項１〜１０のいずれか１項に記載の斜面の安定化工法。
【００１８】
〔請求項１２記載の発明〕
前記ベース体を複数重ねて布設し、少なくとも最下方に前記下層材を設ける、請求項１〜１１のいずれか１項に記載の斜面の安定化工法。
【００１９】
〔請求項１３記載の発明〕
地山に対向する前記ベース体との間に、透水性のシートを布設する、請求項１〜１２のいずれか１項に記載の斜面の安定化工法。
【００２０】
〔請求項１４記載の発明〕
前記被覆層は植生用の基盤である、請求項１〜１３のいずれか１項に記載の斜面の安定化工法。
【００２１】
〔請求項１５記載の発明〕
前記ベース体を、固定部材により地山に固定する、請求項１〜１４のいずれか１項に記載の斜面の安定化工法。
【００２２】
〔請求項１６記載の発明〕
複数の前記下骨上に支持材を掛け渡し、地山に打ち込む前記固定部材の定着座を複数の前記下骨上に配置し、前記支持材と前記定着座とが一体で地山側に押圧する、請求項１５記載の斜面の安定化工法。
【００２３】
〔請求項１７記載の発明〕
前記塊状物は、前記ベース体の上端側から投入し、前記塊状物をその自重落下力により前記ベース体の厚み内に撒き出す、請求項１〜１６のいずれか１項に記載の斜面の安定化工法。
【００２４】
〔請求項１８記載の発明〕
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体が斜面に布設され、前記上平面と前記下平面との間に塊状物を含む下層材が設けられ、前記上平面に基盤が造成されている、ことを特徴とする斜面の安定化構造。
【００２５】
〔請求項１９記載の発明〕
表面側に位置するほぼ同一の上平面において長手方向に連なり実質的に平行な上骨を有し、裏面側に位置するほぼ同一の下平面において長手方向に連なり実質的に平行な下骨を有し、かつ、平面的に視て隣接する前記上骨間に前記下骨が位置し、
隣接する前記上骨とこれらの間に位置する前記下骨との関係の少なくとも一部において、延在方向の多数の位置において、前記下骨とそれぞれ隣接する前記上骨との間が連結骨により連結しベース体を構成し、
前記ベース体が斜面に布設され、前記上平面と前記下平面との間に塊状物を含む下層材が設けられている、
ことを特徴とする斜面の安定化構造。
【００２６】
〔請求項２０記載の発明〕
前記ベース体の表面側が網体で覆われている、請求項１９記載の斜面の安定化構造。
【００２７】
（主な作用効果）
（１）３次元構造体たるベース体中に塊状物を含む下層材を設ける。したがって、下層材は塊状物を含むので、湧水や雨水が下層材に浸透したとき排水性が良好であり、かつ、ベース体自体は、３次元構造体であり、塊状物の移動に対する抵抗体として機能するから、もって水による侵食を確実に防止することができ、安定した保護構造体となる。
【００２８】
（２）また、ベース体上には被覆層を造成すると、被覆層に雨水が浸透したとしても下層に雨水を導き、迅速なる排水を行わせることで、被覆層の侵食を防止できる。
【００２９】
（３）上平面と下平面との間で所定の厚みを示す３次元構造体たるベース体であり、上下の骨が同一方向に延在していると、その延在方向についての曲げ剛性が高いものとなる。そして、後述の例で示すように、塊状物の分散が容易なものとなる。
【００３０】
（４）前記ベース体における、隣接する前記上骨とこれらの間の前記下骨とを繋ぐ連結骨の配置形態において、平面的に視て前記上骨における前記下骨との第１の連結部と次の第２の連結部との間の長手方向中間位置において、前記下骨における前記上骨との連結部がある構造によれば、塊状物の移動に対する抵抗体としての、連結骨の配置形態となる。
【００３１】
（５）塊状物をベース体上に撒き出す際に、隣接する上骨間の谷（谷底に下骨が存在する）が斜面方向に沿う場合には、その谷に沿って塊状物がそのまま落下する割合が多くなるのに対し、ベース体を、その前記上骨及び前記下骨の延在方向を斜面の尻と肩を結ぶ斜面方向に対して交差する方向に布設する形態では、隣接する上骨間の谷に沿って塊状物が落下するものの、一部が隣の山の内や隣の谷へと落下するので、全体として塊状物の均一な分散を容易に達成できる。
【００３２】
（６）斜面が高い場合、複数のベース体を斜面方向に繋ぎ合わせる。その際に、複数のベース体の方向を食い違わせる、たとえば下方のベース体については右肩上がり、上方のベース体については左肩上がりのように布設すると、前述のように塊状物を撒き出したときに、上方のベース体では左下がりで塊状物が落下し、その後に下方のベース体では右下がりで塊状物が落下するので、全体として塊状物の均一な分散を容易に達成できる。逆に、すべてが同じ方向である場合、塊状物の投入位置に対し、塊状物の分布がずれる傾向になる（この原因は、塊状物が前記の谷に沿って多く落下する割合が多いからである。）。
【００３３】
（７）たとえばベース体上から、長繊維（連続長繊維も当然に含む）又は短繊維を、繊維のみ又は被覆材料と共に吹き付け等して散布すると、骨、たとえば請求項のベース体においては上骨及び前記連結骨に絡むようになる。その結果、長繊維が下層材や被覆層の被覆材料と絡み、流亡に対する抵抗材として機能する。
【００３４】
（８）ベース体は、地山全体を覆うのではなく、横方向に段状に、縦方向にストライプ状に、あるいは格子状などに布設することでも、（１）と同様な作用効果を奏する。なお、横方向に段状に配置したとしても、その下層材を通して左右に浸透雨水を誘導でき（必要ならば左右に誘導した雨水の排水手段を付加的に設ける）るから、同様の作用効果を奏するのである。
【００３５】
（９）ベース体は複数重ねて布設してもよい。この場合、少なくとも最下方に前記下層材を設けることで円滑な排水が可能となる。表面側のベース体については、下層材を設けないで、ベース体を埋設するように被覆層材料を設けると、３次元構造体としてのベース体が、被覆層材料の流亡を抑止するものとなる。
【００３６】
（１０）地山に対向するベース体との間に、透水性のシートを布設すると、透水性のシート（たとえば不織布シート）により細かい地山粒子を押さえることができ、その流亡を防止できるとともに、下層材側への移動を防止して、下層材の透水性の低下を防止する。また、逆に透水性のシートはベース体により押えられるものであるから安定し、しかも、シートが透水性であるために、たとえば被覆層を通して植生を図る場合において、その根茎に対して十分な水の供給が可能である。
【００３７】
（１１）被覆層としては、モルタル又はコンクリートの吹き付け層や植生用の基盤などを例示できるが、植生用の基盤であると、下層材が塊状物を含み、空隙が多いので、根茎が良好に成長し、かつ、根茎がベース体に絡むようになり、対流亡性に優れるように植物が生育するものとなる。
【００３８】
（１２）ベース体は、３次元構造体であり、塊状物を含む下層材を設けるものであるから、それ自体で安定性に富むものであるが、急斜面などにおいては、アンカーピン、ロックボルト、アンカー体などの固定部材により地山に固定すると、より安定した構造体となる。
【００３９】
（１３）定着座が複数の下骨上にあり、しかも、支持材が複数の下骨上に掛け渡して設けられていると、固定部材を地山に打ち込んだとき、ベース体を強固かつ安定して地山に固定でき、逆に、地山の変形力に対し、ベース体がそれ自体の変形を防止しながら抑止できる。
【００４０】
（１４）塊状物をその自重落下力によりベース体の厚み内に撒き出す形態によれば、作業性に優れ、かつ迅速に撒き出しが可能となる。
【発明の効果】
【００４１】
本発明によれば、上記作用効果を要すれば、施工が簡易に行うことができ、しかも、排水性に優れることにより湧水や雨水による侵食を確実に防止することができ、安定した保護構造を得ることができるのである。また、安定的な緑化が可能である。
【発明を実施するための最良の形態】
【００４２】
以下、本発明の一実施形態について添付図面を参照しながら詳説する。
＜ベース体の構造＞
まず、本発明に係るベース体の構造例について説明する。
【００４３】
（第１のベース体例）
図１〜４に示すように、第１のベース体Ｘ１は、上骨１０，１０…と、下骨２０，２０…と、連結骨３０，３０…と、から主になる。
【００４４】
各上骨１０，１０…は、特に図４に示すように、表面側に位置し、ほぼ同一の上平面Ｕにおいて長手方向に連なり、適宜の間隔をおいて、好ましくは１６〜２０ｃｍの間隔をおいて、より好ましくは１８ｃｍの間隔をおいて、実質的に平行に配置されている。また、各下骨２０，２０…は、特に図４に示すように、裏面側に位置し、ほぼ同一の下平面Ｄにおいて長手方向に連なり、適宜の間隔をおいて、好ましくは１６〜２０ｃｍの間隔をおいて、より好ましくは１８ｃｍの間隔をおいて、実質的に平行に配置されている。そして、上骨１０，１０…及び下骨２０，２０…は、特に図１及び図２に示すように、平面的に視て隣接する上骨１０，１０間に下骨２０が位置するように、配置されている。
【００４５】
一方、上骨１０，１０…及び下骨２０，２０…は、特に図１に示すように、延在方向の多数の位置において、下骨２０，２０…とそれぞれ隣接する上骨１０，１０…との間が、連結骨３０，３０…によって連結されている。
【００４６】
より具体的には、特に図２に示すように、各連結骨３０，３０…が、上下に折れ曲がって波状となった１本の骨材で形成されている。そして、各連結骨３０，３０…の上方から下方へ折れ曲がる部分（山折り部分）の下側に上骨１０，１０…が接合され、下方から上方へ折れ曲がる部分（谷折り部分）の上側に下骨２０，２０…が接合されている。この連結骨３０，３０…と、上骨１０，１０…及び下骨２０，２０…との各接合は、例えば、溶接、接着、ねじり合わせ、ソケット接合などによることができる。ただし、強度の向上という観点からは、溶接によるのが好ましい。また、本ベース体Ｘ１の製造は、例えば、上骨１０，１０…及び下骨２０，２０…と波状の連結骨３０，３０…とを接合するという方法によることができる。ただし、製造容易性という観点からは、上骨１０，１０…及び下骨２０，２０…と直線状の連結骨３０，３０…とを接合した後、上骨１０，１０…が上方に、下骨２０，２０…が下方に移動するようにプレスして、製造するのが好ましい。
【００４７】
以上のようにして、ベース体Ｘ１は、骨（１０，２０，３０…）が繋がっている３次元構造体であって、その構造体内に空隙を有する形状となっている。
【００４８】
ここで、各骨（１０，２０，３０…）の素材は、特に限定されない。ただし、強度という観点からは、鉄、鋼、ステンレス、チタン、各種合金等の金属であるのが好ましく、耐腐食性という観点も加えて考えるならば、鋼であるのがより好ましい。また、各骨（１０，２０，３０…）の断面形状も、特に限定されない。例えば、長方形状、正方形状、菱形形状等の多角形状や、真円形状、楕円形状等の円形状、星形形状などの様々な形状が考えられる。ただし、強度という観点からは、図示例のように、真円形状であるのが好ましい。
【００４９】
（第２のベース体例）
図５〜８に示すように、第２のベース体Ｘ２も、第１のベース体Ｘ１とほぼ同様の形状となっており、上骨１０，１０…と、下骨２０，２０…と、連結骨３１、３２…と、から主になる。
【００５０】
ただし、本ベース体Ｘ２は、符号３１及び３２で示す連結骨の形状が、第１のベース体Ｘ１の連結骨３０と異なっている。
具体的には、特に図６に示すように、各連結骨３１、３２…は、上方から下方へ折れ曲がる部分（山折り部分）が存在せず、この山折り部分に替えて、上方から横方へ折れ曲がり、この横方から下方へ折れ曲がった形状となっている。そして、上骨１０，１０…は、上方から横方へ折れ曲がった部分の下側や、横方から下方へ折れ曲がった部分の下側に、接合されている。なお、下方から上方へ折れ曲がる部分（谷折り部分）が存在することは、第１のベース体Ｘ１の場合と同様である。
【００５１】
各連結骨３１、３２…の横方への延在距離は特に限定されない。例えば、図示例のように下骨２０を１本通り越す距離にすることや、下骨２０を２本通り越す距離、下骨２０を３本通り越す距離、又は下骨２０をそれ以上の複数本通り越す距離、などにすることができる。
【００５２】
本ベース体Ｘ２において、連結骨は、符号３１で示すものも、符号３２で示すものも、以上で示したとおりの、同様の形状となっている。ただし、連結骨３１と連結骨３２とでは、配置位置が異なっている。すなわち、特に図７に示すように、連結骨３１及び連結骨３２は、連結骨３１の延在部分（上方から横方へ折れ曲がってから、この横方から下方へ折れ曲がるまでの部分）中央に連結骨３２の谷折り部分が位置し、連結骨３２の延在部分中央に連結骨３１の谷折り部分が位置するように、幅方向にずれて配置されている。このように連結骨３１、３２を幅方向にずらして配置することにより、後述する塊状物Ｓが均一に分散することになる。したがって、各連結骨３１、３２…の横方への延在距離は、短い方が好ましく、図示例のように、１本通り越す距離がより好ましい。
【００５３】
（第３のベース体例）
図９〜１２に示すように、第３のベース体Ｘ３も、第１のベース体Ｘ１とほぼ同様の形状となっており、上骨１０，１０…と、下骨２０，２０…と、連結骨３３，３３…と、から主になる。
【００５４】
ただし、本ベース体Ｘ３は、符号３３で示す連結骨の形状が、第１のベース体Ｘ１の連結骨３０と異なっている。
具体的には、特に図９に示すように、各連結骨３３，３３…が、平面的に視て上骨１０，１０…における下骨２０，２０…との第１の連結部（上骨１０と連結骨３３とが接続する部位）３３Ａと次の第２の連結部（第１の連結部の長手方向一方において、図示例では紙面下方において、上骨１０と連結骨３３とが接続する部位）３３Ｂとの間の長手方向中間位置に、下骨２０，２０…における上骨１０，１０…との連結部（下骨２０と連結骨３３とが接続する部位）３３Ｃがある形状となっている。この構造によると、後述する塊状物Ｓの移動に対する抵抗体としての、連結骨の配置形態となる。また、本構造によると、斜め方向についての曲げ剛性が高いものとなる。
【００５５】
本ベース体Ｘ３の製造は、例えば、上骨１０，１０…及び下骨２０，２０…と折れ曲がった連結骨３０，３０…とを接合するという方法によることができる。ただし、製造容易性という観点からは、上骨１０，１０…及び下骨２０，２０…と直線状の連結骨３０，３０…とを接合した後、上骨１０，１０…を固定した状態で、相互に隣接する下骨２０，２０…の一方を上方に、他方を下方にそれぞれ移動し、さらに上骨１０，１０…が上方に、下骨２０，２０…が下方に移動するようにプレスして、製造するのが好ましい。
【００５６】
（その他のベース体例）
以上のベース体Ｘ１、Ｘ２及びＸ３では、上下の骨１０、２０…が同一方向に延在している形態であるが、ベース体としては、多数の骨が繋がっている３次元構造体であって、その構造体内に空隙を有し、その空隙に塊状物Ｓが入り込むことが可能なものであれば、使用することができる。
【００５７】
＜施工方法＞
上記の各ベース体Ｘ（Ｘ１、Ｘ２、Ｘ３）において、いずれも横断面をみた場合において、山形をなし、稜線部と谷部とが形成され、上骨１０にて稜線部が、下骨２０にて谷部が形成されている（特に図４、図８、図１２参照）。各ベース体の厚みとしては、２０〜３００ｍｍ、特に４０〜１５０ｍｍが望ましい。上骨１０と下骨２０と連結骨３０とで構成される目開きの大きさについても、２０〜３００ｍｍ、特に４０〜１５０ｍｍが望ましい。
【００５８】
ベース体Ｘ及び河川護岸の例を採ると、図１３及び図１４に示すように、河川から道路にかかる緩斜面において、不織布などの透水性のシート４０を布設する。その上にベース体Ｘを布設する。
【００５９】
その際に、上骨１０及び下骨２０の延在方向を斜面の尻と肩を結ぶ斜面方向に対して交差する方向、たとえば４５度の角度で交差する方向に布設する。この交差角度としては、２０〜６５度が望ましい。
【００６０】
また、図１４に示すように、斜面スロープが長い場合には、複数のベース体Ｘ、Ｘを使用し、斜面の下方に設ける下方のベース体Ｘ及び斜面の上方に設ける上方のベース体Ｘを、それらの上骨１０及び下骨２０の延在方向を斜面の尻と肩を結ぶ斜面方向に対して交差する方向に布設するとともに、下方のベース体Ｘ及び上方のベース体Ｘの延在方向が、下方のベース体Ｘと上方のベース体Ｘとの境界線に対して交差する位置関係にあるように設置する。図示例では下方のベース体については左肩上がり、上方のベース体については右肩上がりのように布設してある。
【００６１】
ベース体Ｘの布設が終了した段階で、塊状物、たとえば１０〜１００ｍｍ、より望ましくは３０〜６０ｍｍ程度の塊状物Ｓ、たとえば砕石を撒き出す。この場合、ベース体Ｘの上端部から撒き出すことが望ましい。撒き出した塊状物Ｓは、隣接する上骨１０、１０間の谷（谷底に下骨２０が存在する）に沿って塊状物Ｓがそのまま落下するとともに、一部の塊状物Ｓが隣の山の内や隣の谷へと落下するので、全体として塊状物の均一な分散を容易に達成できる。
【００６２】
場合によって、塊状物Ｓと共に、あるいは別に、客土やチップ類、バーク堆肥などを設けて、下層材を形成することができる。図示の例では、塊状物Ｓ群のみで下層材を形成したものである。下層材の上面は、上骨１０に揃う場合のほか、上骨１０の下方や上方であってもよい。
【００６３】
次いで、下層材上に、被覆層５０を形成できる。この被覆層５０としては、植生基盤が好ましいが、モルタルや客土などでもよく、また、植生基盤やモルタル、客土などに繊維を混入したものでもよい。植生基盤としては公知のものをそのまま使用できる。種子や肥料とともに客土吹付を行い、植生基盤を造成できる。下層材の上面が、上骨１０の下方である場合には、上骨１０の下方にも被覆層５０が入り込む。
【００６４】
植生基盤である場合、図１３の拡大図により判るように、下層材の空隙が多いので、植物の根茎が、下層材中に容易に侵入する。そして、排水性が高い下層材を構成できる。
【００６５】
ベース体Ｘは、図１５及び図１６に示すように、ライン状に布設して、非布設域を確保することができる。
【００６６】
図１５の例は、縦方向にストライプ状に布設した例であり、図１６は横枠Ｘｈと縦枠Ｘｖとで格子状に布設した例である。連結枠とする場合、連結部材により連結で、連結枠の形状に限定されない。
【００６７】
図１７に示すように、ベース体Ｘは、アンカーピン（アンカーピンの形状は、特に限定されない。例えば、基端部（頭部）に、一方又は両側方へ向かって、直線状や円弧状等に広がる掛止部が備わるものなどを、使用することができる。なお、固定時においては、掛止部が、下骨２０に引っ掛かることになる。）、ロックボルト、アンカー体などの固定部材６０により地山に固定することが望ましい。この具体例としては、下骨２０上に例えば、棒状の支持材を掛け渡し、地山に打ち込むロックボルトからなる固定部材６０の定着座６２、６３を複数の下骨２０、２０上に配置し、支持材６１とプレート受圧板等の定着座６２とを一体化部材（図示せず）により連結し、一体的に地山側に押圧することができる。６４はロックボルトからなる固定部材６０のナット部材である。
【００６８】
その他の形態について説明すると、被覆層５０の造成前に、ベース体上に、ベース体の上骨及び連結骨に絡むように長繊維を散布などにより設けることができる。客土などの被覆層形成材料中に長繊維を含ませておき、その材料を吹き付けることで、長繊維をベース体の上骨及び連結骨に絡ませることもできる。この場合の長繊維としては連続長繊維が望ましい。必要により、短繊維を含ませた長繊維を使用できる。繊維として、天然繊維、合成繊維など種類は問われない。
【００６９】
ベース体を複数重ねて布設し、少なくとも最下方に下層材を設けることができる。ベース体を重ねた場合、結束材などにより一体化できる。
【００７０】
塊状物Ｓとしては、砕石のほか、現場で収集した石、人工石、適宜の人工無機粒子、人工有機粒などの使用も可能である。
【００７１】
上記例から明らかなように、たとえば代表例を示す図１３によって、本発明の作用効果を改めて説明すると、３次元構造体たるベース体Ｘ中に塊状物Ｓを含む下層材を設ける。したがって、下層材は塊状物Ｓを含むので、湧水や雨水が下層材に浸透したとき排水性が良好であり、かつ、ベース体Ｘ自体は、３次元構造体であり、塊状物Ｓの移動に対する抵抗体として機能するから、もって水による侵食を確実に防止することができ、安定した保護構造体となる。
【００７２】
また、ベース体Ｘ上には被覆層５０を造成する。したがって、被覆層５０に雨水が浸透したとしても下層に雨水を導き、迅速なる排水を行わせることで、被覆層５０の侵食を防止できる。
【００７３】
したがって、自然斜面、切取り法面、河川護岸、人工的に造成した斜面（たとえば砂防堤）などにおいて、侵食を確実に防止して安定した保護構造体を造成できる。特に、排水性が良好であることは、高い侵食防止効果を示すばかりでなく、たとえば地盤が強アルカリまたは強酸性土壌であるとき、当該土壌から湧出した強アルカリまたは強酸性の水を下層材に沿って下方に排出できるから、被覆層５０への影響はなく、もってたとえば被覆層５０において植生を図ることができる。
【００７４】
以上に対し、河川護岸等であって、被覆層５０が洗い流されてしまうことが明らかな場合などには、ベース体Ｘ上には被覆層５０を造成しないこともできる。ただし、この場合は、塊状物Ｓがベース体Ｘから流出してしまうのを防止するために、ベース体Ｘの表面側を、ラス網、亀甲金網等の金網やネット等の網体で覆っておくのが好ましい。
【産業上の利用可能性】
【００７５】
本発明は、自然斜面や切取り法面などの斜面の安定化工法及び安定化構造として、適用可能である。
【図面の簡単な説明】
【００７６】
【図１】第１ベース体の平面図である。
【図２】第１ベース体の断面図である。
【図３】第１ベース体の斜視図である。
【図４】第１ベース体の３次元構造を説明するための図である。
【図５】第２ベース体の平面図である。
【図６】第２ベース体の連結骨を説明するための図である。
【図７】第２ベース体の断面図である。
【図８】第２ベース体の斜視図である。
【図９】第３ベース体の平面図である。
【図１０】第３ベース体の断面図である。
【図１１】第３ベース体の側面図である。
【図１２】第３ベース体の斜視図である。
【図１３】安定化構造の断面図である。
【図１４】斜面の概要正面図である。
【図１５】別の形態の斜面の概要正面図である。
【図１６】さらに他の形態の斜面の概要正面図である。
【図１７】固定部材の配設例の斜視図である。
【符号の説明】
【００７７】
１０…上骨、２０…下骨、３０，３１，３２，３３…連結骨、４０…透水性のシート、５０…被覆層、６０…固定部材、Ｓ…塊状物、Ｘ１，Ｘ２，Ｘ３…ベース体。
【図１】
2006299696.tif 000003
【図２】
2006299696.tif 000004
【図３】
2006299696.tif 000005
【図４】
2006299696.tif 000006
【図５】
2006299696.tif 000007
【図６】
2006299696.tif 000008
【図７】
2006299696.tif 000009
【図８】
2006299696.tif 000010
【図９】
2006299696.tif 000011
【図１０】
2006299696.tif 000012
【図１１】
2006299696.tif 000013
【図１２】
2006299696.tif 000014
【図１３】
2006299696.tif 000015
【図１４】
2006299696.tif 000016
【図１５】
2006299696.tif 000017
【図１６】
2006299696.tif 000018
【図１７】
2006299696.tif 000019